(57)【特許請求の範囲】
【請求項１】
コンピュータに、
各申告者の前回の申告項目に基づいて、各申告者の今回の申告項目を予想し、予想した申告項目に含まれる各申請項目の組み合わせに応じた今回の申告の難易度に対する所要時間の平均値に基づいて、各担当者の現在の応対が完了するまでの待ち時間を予想するステップと、
予想した各待ち時間と、複数の担当者の各申告項目に対する習熟度に基づいて、申告者への応対を優先する担当者を選択するステップと、
を実行させることを特徴とする申告受付管理プログラム。
【請求項２】
今年度の所得または控除に関するデータを取得するステップを有し、
前記予想するステップは、前記申告者の前回の申告項目、及び前記取得されたデータに応じた申告項目に基づいて、今回の申告項目を予想する、
ことを特徴とする請求項１記載の申告受付管理プログラム。
【請求項３】
各申告に対する応対が終了したのち、各申告者への応対の所要時間と、各申告の難易度に基づいて、難易度に対する所要時間の平均値を更新する、
ことを特徴とする請求項１または２に記載の申告受付管理プログラム。
【請求項４】
前記予想するステップは、今回の申告の難易度と、前記平均値に基づいて、前記申告者への応対の所要時間を予想し、申告に対する応対が終了したのち、予想した所要時間と、実際の所要時間との差が所定の閾値以上の場合に、当該申告の担当者から選択された申請項目に対応付けられた難易度を更新する、
ことを特徴とする請求項１から３のいずれか一項に記載の申告受付管理プログラム。
【請求項５】
各申告者の前回の申告項目に基づいて、各申告者の今回の申告項目を予想し、予想した申告項目に含まれる各申請項目の組み合わせに応じた今回の申告の難易度に対する所要時間の平均値に基づいて、各担当者の現在の応対が完了するまでの待ち時間を予想する予想部と、
予想した各待ち時間と、複数の担当者の各申告項目に対する習熟度に基づいて、申告者への応対を優先する担当者を選択する選択部と、
を有することを特徴とする情報処理装置。
【請求項６】
コンピュータが、
各申告者の前回の申告項目に基づいて、各申告者の今回の申告項目を予想し、予想した申告項目に含まれる各申請項目の組み合わせに応じた今回の申告の難易度に対する所要時間の平均値に基づいて、各担当者の現在の応対が完了するまでの待ち時間を予想するステップと、
予想した各待ち時間と、複数の担当者の各申告項目に対する習熟度に基づいて、申告者への応対を優先する担当者を選択するステップと、
を実行することを特徴とする申告受付管理方法。
【発明の詳細な説明】
【技術分野】
【０００１】
本発明は、申告受付管理プログラム、情報処理装置、及び申告受付管理方法に関する。
【背景技術】
【０００２】
従来、相談の依頼者が相談内容を選択すると、選択された相談内容に応じた窓口へ誘導する技術が知られている（例えば、特許文献１）。
【０００３】
また、従来、各種の手法により、相談等の受け付けの待ち時間を減らす技術が提案されている（例えば、特許文献２）。
【先行技術文献】
【特許文献】
【０００４】
【特許文献１】特開平１０−１４３５８２号公報
【特許文献２】特開２０１５−１１８３９７号公報
【発明の概要】
【発明が解決しようとする課題】
【０００５】
しかしながら、従来技術では、担当者が相談を受けた際、依頼者が選択した相談内容が間違いであることが判明した等により窓口や担当者が変わる場合、依頼者は相談内容の説明を一からやり直す必要があった。
【０００６】
また、相談業務に掛かる所要時間は、簡単な相談内容であれば、ベテランの担当者でも、不慣れな担当者でも差が小さいが、複雑な相談内容の場合、不慣れな担当者はベテランの担当者の何倍もの時間を要する場合があるという問題がある。
【０００７】
そこで、一側面では、申告者に対する担当者の割り当てを適正化することを目的とする。
【課題を解決するための手段】
【０００８】
一つの案では、コンピュータに、各申告者の前回の申告項目に基づいて、各申告者の今回の申告項目を予想し、予想した申告項目に含まれる各申請項目の組み合わせに応じた今回の申告の難易度に対する所要時間の平均値に基づいて、各担当者の現在の応対が完了するまでの待ち時間を予想するステップと、予想した各待ち時間と、複数の担当者の各申告項目に対する習熟度に基づいて、申告者への応対を優先する担当者を選択するステップと、を実行させる。
【発明の効果】
【０００９】
一側面によれば、申告者に対する担当者の割り当てを適正化することが可能となる。
【図面の簡単な説明】
【００１０】
【図１】実施形態における税申告受付管理システムの構成例を示す図である。
【図２】実施形態における情報処理装置のハードウェア構成例を示す図である。
【図３】実施形態における情報処理装置の機能ブロック図である。
【図４】受付情報管理テーブルの一例を示す図である。
【図５】項目管理テーブルの一例を示す図である。
【図６】組み合わせ難易度管理テーブルの一例を示す図である。
【図７】他課税資料テーブルの一例を示す図である。
【図８】予想テーブルの一例を示す図である。
【図９】担当者テーブルの一例を示す図である。
【図１０】担当者指定テーブルの一例を示す図である。
【図１１】税申告受付管理システム１の処理のシーケンスの一例を示す図である。
【図１２】申告内容予想処理の一例を示すフローチャートである。
【図１３】予想所要時間算出処理の一例を示すフローチャートである。
【図１４】優先担当者選択処理の一例を示すフローチャートである。
【図１５】情報端末での受付情報表示画面の表示例について説明する図である。
【図１６】情報端末でのステータス変更画面の表示例について説明する図である。
【図１７】情報端末での各項目の難易度を更新する画面の表示例について説明する図である。
【発明を実施するための形態】
【００１１】
以下、図面に基づいて本発明の実施形態を説明する。図１は、本発明の実施形態における税申告受付管理システム１の構成例を示す図である。図１において、税申告受付管理システム１は、情報処理装置１０、情報端末２０ａ、２０ｂ、・・・（以下で「情報端末２０」と総称する）、及び受付装置３０を含む。なお、以下では、税の申告支援を扱う場合を例として説明を行うが、本実施形態は、税以外の申告支援（各種の相談業務）を扱うシステムにおいても適用可能である。なお、申告とは、例えば、国民が法律上の義務として、官庁などに一定の事実を申し出ることを指す。
【００１２】
情報処理装置１０と情報端末２０、及び情報処理装置１０と受付装置３０は、ＬＡＮ（Local Area Network）やインターネット等の通信回線によって通信可能に接続される。
【００１３】
情報処理装置１０及び情報端末２０は、例えば、サーバ、ＰＣ（Personal Computer）、タブレット型端末等の情報処理装置である。
【００１４】
情報処理装置１０は、例えばＷｅｂサーバの機能を有し、情報端末２０のＷｅｂブラウザと通信を行う。
【００１５】
受付装置３０は、例えば会場内に設置され、申告者の操作に応じて、例えば受け付け番号票を発行する等により、税申告の受け付けを行う装置である。
【００１６】
図２は、実施の形態における情報処理装置１０のハードウェア構成例を示す図である。図２の情報処理装置１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。 
情報処理装置１０での処理を実現する税申告受付管理プログラム（申告受付管理プログラム）は、記録媒体１０１によって提供される。税申告受付管理プログラムを記録した記録媒体１０１がドライブ装置１００にセットされると、税申告受付管理プログラムが記録媒体１０１からドライブ装置１００を介して補助記憶装置１０２にインストールされる。但し、税申告受付管理プログラムのインストールは必ずしも記録媒体１０１より行う必要はなく、ネットワークを介して他のコンピュータよりダウンロードするようにしてもよい。補助記憶装置１０２は、インストールされた税申告受付管理プログラムを格納すると共に、必要なファイルやデータ等を格納する。
【００１７】
メモリ装置１０３は、プログラムの起動指示があった場合に、補助記憶装置１０２からプログラムを読み出して格納する。ＣＰＵ１０４は、メモリ装置１０３に格納されたプログラムに従って情報処理装置１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等、またはタッチパネル及びボタン等で構成され、様々な操作指示を入力させるために用いられる。
【００１８】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１９】
情報端末２０のハードウェア構成は、図２に示す情報処理装置１０のハードウェア構成例と同様である。
【００２０】
＜情報処理装置の機能構成＞
次に、図３を参照し、情報処理装置１０の機能構成について説明する。図３は、情報処理装置１０の機能ブロック図である。情報処理装置１０は、記憶部１１を有する。記憶部１１は、例えば、補助記憶装置１０２等を用いて実現される。
【００２１】
記憶部１１には、受付情報管理テーブル１１１、項目管理テーブル１１２、組み合わせ難易度管理テーブル１１３、他課税資料テーブル１１４、予想テーブル１１５、担当者テーブル１１６、及び担当者指定テーブル１１７が格納される。
【００２２】
（受付情報管理テーブル）
次に、図４を参照し、受付情報管理テーブル１１１に格納されるデータについて説明する。図４は、受付情報管理テーブル１１１の一例を示す図である。受付情報管理テーブル１１１には、受付番号、申告者ＩＤ（宛名コード）、ステータス、受付日、申告情報、担当者ＩＤ、会場受付時間、受付開始時間、及び受付終了時間の項目が格納される。
【００２３】
受付番号は、各受け付けを識別するデータである。申告者ＩＤ（宛名コード）は、申告者を識別するデータ（ＩＤ）である。ステータスは、受け付けのステータス（状態）を示すデータであり、「待機中」、「受付中」、「受付済」、「その他」の値をとる。なお、会場受付時に「待機中」となり、担当者ＩＤに係る担当者（職員）が開始の操作をした際に「受付中」に変更され、当該担当者が終了の操作をした際に「受付済」に変更される。
【００２４】
受付日は、会場受付時の日付である。申告情報は、申告内容を示すデータである。担当者は、申告支援を担当した担当者の識別情報である。会場受付時間は、会場受付時の時刻である。受付開始時間は、申告支援を開始した時刻である。受付終了時間は、申告支援を終了した時刻である。
【００２５】
（項目管理テーブル）
次に、図５を参照し、項目管理テーブル１１２に格納されるデータについて説明する。図５は、項目管理テーブル１１２の一例を示す図である。
【００２６】
項目管理テーブル１１２には、項目ＩＤ、項目略称、難易度の項目が格納されている。項目ＩＤは、項目を識別するデータである。項目ＩＤには、親ＩＤ、子ＩＤの項目が含まれる。親ＩＤは、申告項目の大分類を示すデータである。子ＩＤは、申告項目の小分類を示すデータである。親ＩＤと子ＩＤの組み合わせにより、各項目を識別できる。図５の例では、項目ＩＤ「ＳＹ０１０」により、「営業」の項目を識別する。項目略称は、項目の略称を示すデータである。
【００２７】
難易度は、各項目に対する申告支援の難易度を示すデータである。難易度が低い項目は、例えば、給与所得者が医療費や年末調整もれの扶養関連の申告をする場合の申告項目である。
【００２８】
難易度が高い項目は、例えば、整理する書類が多い営業・農業・不動産等の収支、減価償却などの市町村の判断で融通が効く場合、物品・土地・建物など譲渡の内訳書の作成が必要な場合、特定雑損失や被災純損失などの所得税と住民税の両方申告が必要な場合、雑損控除、外国税額控除など申告数が少ない場合の申告項目である。
【００２９】
（組み合わせ難易度管理テーブル）
次に、図６を参照し、組み合わせ難易度管理テーブル１１３に格納されるデータについて説明する。図６は、組み合わせ難易度管理テーブル１１３の一例を示す図である。組み合わせ難易度管理テーブル１１３には、項目ＩＤの組み合わせ、項目略称、難易度の項目が格納されている。
【００３０】
項目ＩＤの組み合わせは、複数の項目ＩＤの組み合わせを示すデータである。項目略称は、複数の項目ＩＤの組み合わせの略称である。難易度は、複数の項目ＩＤの組み合わせによる難易度を示すデータである。
【００３１】
（他課税資料テーブル）
次に、図７を参照し、他課税資料テーブル１１４に格納されるデータについて説明する。図７は、他課税資料テーブル１１４の一例を示す図である。他課税資料テーブル１１４には、資料ＩＤ、申告者ＩＤ（宛名コード）、項目ＩＤ、取得日時の項目が格納されている。資料ＩＤは、資料を識別するデータである。取得日時は、資料を取得した日時である。なお、他課税資料テーブル１１４のデータは、例えば、事業者や税務署から通知された、給与支払い報告書、公金支払い報告書等に基づいて予め格納されている。
【００３２】
（予想テーブル）
次に、図８を参照し、予想テーブル１１５に格納されるデータについて説明する。図８は、予想テーブル１１５の一例を示す図である。予想テーブル１１５には、受付番号、前回申告情報、前回担当者ＩＤ、予想申告項目ＩＤ、予想難易度、予想所要時間、優先担当者の項目が格納される。
【００３３】
前回申告情報は、申告者の前回（前年度）の申告のデータであり、申告した各項目のＩＤを含む。前回担当者ＩＤは、前回の申告支援（応対）を担当した担当者のＩＤである。予想申告情報は、今回申告すると予想される各項目のＩＤである。
【００３４】
予想難易度は、今回の申請支援について予想される難易度を示すデータである。予想所要時間は、今回の申請支援に要すると予想される時間である。優先担当者は、今回の申請支援を優先的に行うことが望ましい担当者のＩＤである。
【００３５】
（担当者テーブル）
次に、図９を参照し、担当者テーブル１１６に格納されるデータについて説明する。図９は、担当者テーブル１１６の一例を示す図である。担当者テーブル１１６には、担当者ＩＤ、前回担当優先度、項目ＩＤ、習熟度の項目が格納されている。
【００３６】
担当者ＩＤは、各担当者を識別するＩＤである。前回担当優先度は、各申告者に対し、前回の申告支援を担当した場合に、次回の申告支援を優先的に担当するべき度合いを示すデータである。項目ＩＤは、申告の各項目のＩＤである。習熟度は、各項目に対する習熟度を示すデータである。例えば、優先的に対応するべき項目に対しては「５０」、対応可能な項目に対しては「１」、対応不可の項目に対しては「−５００」と設定される。対応不可の項目に対して設定される値は、申告に当該項目が含まれる場合は担当者が対応できないことを明示する値である。なお、申告に含まれる各項目に対して要求される習熟度の閾値を設定し、担当者の各項目に対する習熟度が当該閾値未満の場合に、対応不可と判断されるようにしてもよい。
【００３７】
（担当者指定テーブル）
次に、図１０を参照し、担当者指定テーブル１１７に格納されるデータについて説明する。図１０は、担当者指定テーブル１１７の一例を示す図である。担当者指定テーブル１１７には、申告者ＩＤ（宛名コード）、担当者ＩＤ、担当者指定優先度の項目が格納される。担当者指定優先度は、各申告者に対し、各担当者が優先的に担当するべき度合いを示すデータである。
【００３８】
図３の説明にもどる。情報処理装置１０は、通信部１２、受付情報管理部１３、課税データ取得部１４、申告内容予想部１５、担当者選択部１６、及び表示制御部１７を有する。これら各部は、情報処理装置１０にインストールされた１以上のプログラムが、情報処理装置１０のＣＰＵ１０４に実行させる処理により実現される。
【００３９】
通信部１２は、情報端末２０や受付装置３０等との通信を行う。
【００４０】
受付情報管理部１３は、受付装置３０から申告者のデータを通知されると、受付情報管理テーブル１１１に、通知された申告者のデータ等に基づいて受付情報を記録する。この場合、受付情報管理部１３は、例えば、受付番号、申告者ＩＤ、受付日、会場受付時間を記録し、ステータスを「待機中」とする。
【００４１】
受付情報管理部１３は、情報端末２０から、担当者と申告者の申告支援の開始を通知されると、通知された申告者ＩＤに対応付けられた受付情報において、担当者ＩＤ、受付開始時間を記録し、ステータスを「受付中」とする。
【００４２】
受付情報管理部１３は、情報端末２０から、担当者と申告者の申告支援の終了を通知されると、通知された申告者ＩＤに対応付けられた受付情報において、申告情報（項目ＩＤ）、受付終了時間を記録し、ステータスを「受付済」とする。
【００４３】
課税データ取得部１４は、今年度の所得または控除に関する課税データを取得し、他課税資料テーブル１１４に格納する。
【００４４】
申告内容予想部１５は、申告者の前回の申告項目や、課税データ取得部１４により取得された課税データに基づいて、今回の申告項目を予想する。
【００４５】
申告内容予想部１５は、予想した今回の申告項目に含まれる各申請項目の組み合わせに応じて、各申告の難易度を予想する。
【００４６】
申告内容予想部１５は、各申告に対する支援が終了したのち、各申告者への支援の所要時間と、各申告の難易度に基づいて、難易度に対する所要時間の平均値を算出する。そして、申告内容予想部１５は、今回の申告の難易度と、算出した平均値に基づいて、各担当者の現在の応対が完了するまでの待ち時間を予想する。
【００４７】
また、申告内容予想部１５は、今回の申告の難易度と、難易度に対する所要時間の平均値に基づいて、申告者への応対の所要時間を予想する。そして、申告内容予想部１５は、申告に対する応対が終了したのち、予想した所要時間と、実際の所要時間との差が所定の閾値以上の場合に、当該申告の担当者から選択された申請項目に対応付けられた難易度を更新する。
【００４８】
担当者選択部１６は、申告内容予想部１５により予想された申告項目や待ち時間、複数の担当者の各申告項目に対する習熟度等に基づいて、申告者への対応を優先する担当者を選択する。
【００４９】
表示制御部１７は、受付情報管理テーブル１１１、及び予想テーブル１１５の情報に基づいて画面データを生成し、情報端末２０に表示させるよう制御する。
【００５０】
＜税申告受付管理システムの処理概要＞
次に、図１１を参照し、税申告受付管理システム１の処理について説明する。図１１は、税申告受付管理システム１の処理のシーケンスの一例を示す図である。
【００５１】
まず、受付装置３０は、申告者の操作により、申告者を識別するデータを取得する（ステップＳ１０１）。受付装置３０は、例えば、マイナンバーカードの読み取り、または氏名や生年月日等の入力操作により、申告者のデータを取得する。なお、受付装置３０は、受け付け番号票を印刷して、申告者に発行してもよい。
【００５２】
続いて、受付装置３０は、情報処理装置１０に、申告者のデータを通知する（ステップＳ１０２）。
【００５３】
続いて、情報処理装置１０は、受付情報管理テーブル１１１に、通知された申告者のデータ等に基づいて受付情報を記録する（ステップＳ１０３）。
【００５４】
続いて、情報処理装置１０は、申告者の前回（前年度）の申告情報等に基づいて、当該申告者による今回（今年度）の申告内容を予想する（ステップＳ１０４）。なお、この申告内容予想処理の詳細については後述する。
【００５５】
続いて、情報処理装置１０は、予想した申告内容に基づいて、当該申告者を支援する担当者の候補（優先担当者）を選択する（ステップＳ１０５）。なお、この優先担当者選択処理の詳細については後述する。
【００５６】
続いて、情報処理装置１０は、選択した担当者の候補に対応付けられた情報端末２０に、当該申告者の情報を通知する（ステップＳ１０６）。
【００５７】
続いて、情報端末２０は、通知された当該申告者のデータを優先担当者に表示する（ステップＳ１０７）。
【００５８】
続いて、情報端末２０は、優先担当者から、当該申告者との申告支援を開始する操作を受け付けると（ステップＳ１０８）、情報処理装置１０に、優先担当者と申告者の申告支援の開始を通知する（ステップＳ１０９）。
【００５９】
続いて、情報処理装置１０は、受付情報管理テーブル１１１の受付情報を、通知されたデータに基づいて更新する（ステップＳ１１０）。
【００６０】
続いて、情報端末２０は、優先担当者から、当該申告者との申告支援を終了する操作を受け付けると（ステップＳ１１１）、情報処理装置１０に、優先担当者と申告者の申告支援の終了を通知する（ステップＳ１１２）。
【００６１】
続いて、情報処理装置１０は、受付情報管理テーブル１１１の受付情報を、通知されたデータに基づいて更新する（ステップＳ１１３）。
【００６２】
＜申告内容予想処理＞
次に、図１２を参照し、図１１のステップＳ１０４の、申告内容予想部１５による申告内容予想処理の詳細例について説明する。図１２は、申告内容予想処理の一例を示すフローチャートである。
【００６３】
まず、申告内容予想部１５は、申告者の前回（前年度）の申告情報、及び前回の担当者の情報を取得し、予想テーブル１１５の前回申告情報、及び前回担当者の項目に格納する（ステップＳ２０１）。なお、申告者の前回（前年度）の申告情報は、例えば受付情報管理テーブル１１１から取得されてもよいし、国税庁のサーバから取得されてもよい。前回の担当者の情報は、例えば受付情報管理テーブル１１１から取得される。
【００６４】
続いて、申告内容予想部１５は、他課税資料テーブル１１４を参照し、申告者に対応付けられた他課税資料の項目ＩＤを取得する（ステップＳ２０２）。図７に示す他課税資料テーブル１１４の例では、申告者ＩＤが「２０３」であれば、「ＳＹ０６０」、「ＫＪ０２０」の項目ＩＤが取得される。
【００６５】
続いて、申告内容予想部１５は、申告者の前回申告情報に含まれる項目ＩＤ、及び他課税資料の項目ＩＤの少なくとも一方に含まれる項目ＩＤを、予想テーブル１１５の予想申告項目ＩＤに格納する（ステップＳ２０３）。図８に示す予想テーブル１１５、及び図４に示す受付情報管理テーブル１１１の例では、受け付け番号「００１３」に対する予想申告項目ＩＤには、前回申告情報に含まれる項目ＩＤ「ＳＹ０２０」、「ＳＹ０６０」、「ＳＰ０６０」に加え、他課税資料テーブル１１４の「ＫＪ０２０」が格納される。
【００６６】
続いて、申告内容予想部１５は、項目管理テーブル１１２を参照し、予想申告項目ＩＤに含まれる各項目ＩＤに対する難易度を合計し、予想難易度とする（ステップＳ２０４）。図８に示す予想テーブル１１５、及び図５に示す項目管理テーブル１１２の例では、予想申告項目ＩＤに含まれる各項目ＩＤ「ＳＹ０２０」、「ＳＹ０６０」、「ＳＰ０６０」、「ＫＪ０２０」、「ＳＹ２００」にそれぞれ対応付けられた難易度「２０」、「１」、「１」、「１」、「１０」が合計され、「３３」と算出される。
【００６７】
続いて、申告内容予想部１５は、組み合わせ難易度管理テーブル１１３を参照し、予想した各項目のIDの組み合わせに対する難易度を予想難易度に加算し、予想テーブル１１５に格納する（ステップＳ２０５）。図６に示す組み合わせ難易度管理テーブル１１３の例では、予想申告項目ＩＤに含まれる各項目ＩＤ「ＳＹ０２０」、「ＳＹ０６０」、「ＳＰ０６０」、「ＫＪ０２０」、「ＳＹ２００」のうち、「ＳＹ２００」及び「ＫＪ０２０」の組み合わせに対する難易度「２０」が、ステップＳ２０５で算出した「３３」に加算され、予想難易度は「５３」と算出される。これにより、複数の項目が組み合わされることによって税申告の支援の難易度が増加する場合に、難易度をより適切に予想することができる。
【００６８】
ここで、複数の項目が組み合わされることによって税申告の支援の難易度が増加する場合として、「ＳＹ２００」（退職）及び「ＫＪ０２０」（医療費）の組み合わせの場合を例に説明する。医療費の控除額は、医療費の負担額から、１０万円及び「所得」の５％のうちで少額の方を減算することにより決定されるが、退職所得には、所得税はかかるが住民税はかからない。そのため、所得税の医療費の控除額を算出する際の「所得」には退職所得は含み、住民税の医療費の控除額を算出する際の「所得」には退職所得は含まれない。これらを申告者が理解できるように説明する必要があるため、難易度が増加する。
【００６９】
続いて、申告内容予想部１５は、予想難易度に基づいて、申告支援の予想所要時間を算出し、予想テーブル１１５に格納する（ステップＳ２０６）。
【００７０】
＜＜予想所要時間算出処理＞＞
次に、図１３を参照し、図１２のステップＳ２０６の予想所要時間算出処理の詳細例について説明する。図１３は、予想所要時間算出処理の一例を示すフローチャートである。
【００７１】
まず、申告内容予想部１５は、受付情報管理テーブル１１１において、ステータスが「受付済」の各データを対象とする（ステップＳ３０１）。
【００７２】
続いて、申告内容予想部１５は、対象とする各データにおいて、申告情報に含まれる各項目ＩＤに対する難易度を項目管理テーブル１１２から取得し（ステップＳ３０２）、各項目ＩＤに対する難易度を合計し、予想難易度とする（ステップＳ３０３）。
【００７３】
続いて、申告内容予想部１５は、対象とする各データにおいて、予想難易度に対する所要時間の平均値を算出する（ステップＳ３０４）。予想難易度に対する所要時間は、例えば、以下の式により算出される。
【００７４】
予想難易度に対する所要時間＝（受付終了時間−受付開始時間）／予想難易度
続いて、申告内容予想部１５は、予想難易度に対する所要時間の平均値に、ステップＳ２０５で算出した予想難易度を乗算した値を、申告支援の予想所要時間とする（ステップＳ３０５）。
【００７５】
なお、申告支援の予想所要時間は、予想難易度、及び担当者の習熟度に基づいて算出してもよい。例えば、（受付終了時間−受付開始時間）／（予想難易度×習熟度）の平均値を算出し、当該平均値に、ステップＳ２０５で算出した予想難易度、及び担当者の習熟度を乗算した値を、申告支援の予想所要時間としてもよい。
【００７６】
＜優先担当者選択処理＞
次に、図１４を参照し、図１１のステップＳ１０５の、申告内容予想部１５、及び担当者選択部１６による優先担当者選択処理の詳細例について説明する。図１４は、優先担当者選択処理の一例を示すフローチャートである。
【００７７】
まず、担当者選択部１６は、申告内容予想部１５により算出された予想難易度が、所定の閾値（例えば３０）以上であるか否か判定する（ステップＳ４０１）。
【００７８】
予想難易度が所定の閾値以上でなければ（ステップＳ４０１でＮＯ）、処理を終了する。これにより、予想難易度が低い簡単な申告については、優先担当者が選択されないため、臨時職員や、手の空いている担当者が支援を担当することができる。
【００７９】
なお、既に待ち申告者が所定数以上存在し、次に申告支援が終了すると予想される担当者がベテランであり、その次に申告支援が終了すると予想される担当者が新人の場合等、優先担当者の選択処理を再度実行し、待っている各申告者に対する待ち時間の予想値を表示してもよい。
【００８０】
予想難易度が所定の閾値以上であれば（ステップＳ４０１でＹＥＳ）、担当者選択部１６は、各担当者について、予想テーブル１１５の予想申告項目ＩＤに含まれる各項目ＩＤに対する、担当者テーブル１１６の習熟度の合計値を算出する（ステップＳ４０２）。
【００８１】
続いて、担当者選択部１６は、受付情報管理テーブル１１１を参照し、対象の申告者を前回担当した担当者のＩＤを取得する（ステップＳ４０３）。担当者選択部１６は、例えば、受付情報管理テーブル１１１のうち、申告者ＩＤが一致し、ステータスが「受付済」のデータのうち、受付日が最も新しいデータの担当者ＩＤを取得する。
【００８２】
続いて、担当者選択部１６は、担当者テーブル１１６を参照し、前回担当した担当者ＩＤに対応付けられた前回担当優先度を取得し、当該担当者の習熟度の合計値に加算する（ステップＳ４０４）。
【００８３】
続いて、担当者選択部１６は、対象の申告者のＩＤと、担当者ＩＤの組み合わせが担当者指定テーブル１１７に登録されている場合に、当該組み合わせに対応付けられた担当者指定優先度を取得し、当該担当者の習熟度の合計値に加算する（ステップＳ４０５）。
【００８４】
続いて、担当者選択部１６は、習熟度の合計値が所定の閾値以上である担当者を抽出する（ステップＳ４０６）。
【００８５】
続いて、申告内容予想部１５は、抽出した各担当者について、現在行っている申告支援が終了するまでの待ち時間を算出する（ステップＳ４０７）。申告内容予想部１５は、例えば、受付情報管理テーブル１１１に格納される受付開始時間に、図１３の予想所要時間算出処理にて算出した申告支援の予想所要時間を加えた時間から、現在時刻を減算した時間を、待ち時間として算出する。
【００８６】
続いて、担当者選択部１６は、ステップＳ４０３で抽出した担当者のうち、待ち時間が所定の閾値以下の担当者を抽出する（ステップＳ４０８）。
【００８７】
続いて、担当者選択部１６は、抽出した担当者のＩＤを、予想テーブル１１５の優先担当者ＩＤに格納する（ステップＳ４０９）。なお、抽出した担当者のうち、習熟度の合計値が高い順に所定人数の担当者のＩＤに絞って、予想テーブル１１５の優先担当者ＩＤに格納してもよい。
【００８８】
＜画面表示＞
次に、図１５を参照し、表示制御部１７が、各担当者が使用する情報端末２０の画面に受付情報を表示させる画面表示例について説明する。図１５は、情報端末２０での受付情報表示画面の表示例について説明する図である。
【００８９】
情報端末２０は、例えば担当者ＩＤを指定して情報処理装置１０にログインし、情報処理装置１０から、受付情報管理テーブル１１１、及び予想テーブル１１５の情報に基づいて生成された画面データ（例えばＨＴＭＬデータ）を取得して、図１５のような画面を表示する。図１５の例では、表示制御部１７は、ステータス「待機中」の申告者については、受付開始時間に待機時間を表示させ、待機時間が所定の閾値を超える場合は、例えば赤字で待機時間を表示させる。
【００９０】
表示制御部１７は、情報端末２０にてログインしている担当者が優先担当者に設定されている場合は、当該担当者名を例えば赤字で表示させる。
【００９１】
表示制御部１７は、受付開始時間に予想所要時間を加算した時間である終了予想時間までの時間が所定時間以内になった場合は、画面にアラートを表示させステータスの更新操作を促す。
【００９２】
優先再設定ボタンが押下されると、情報処理装置１０は、担当者の空き状況や予想待ち時間に応じて優先担当者を選択する処理を再度実行する。
【００９３】
担当者は、自分が優先担当者として設定されている申告者を優先的に対応する。ベテランの担当者は、自分が優先担当者として設定されている待機中の申告者がいない場合は、予想難易度が高い申告者や待機時間が長い申告者を中心に対応する。不慣れな職員は、優先担当者が未設定でかつ予想難易度が低い申告者を中心に対応する。
【００９４】
＜＜ステータス変更＞＞
次に、図１６を参照し、表示制御部１７が、各担当者が使用する情報端末２０の画面に表示させる、申告者のステータスを変更する画面の表示例について説明する。図１６は、情報端末２０でのステータス変更画面の表示例について説明する図である。
【００９５】
表示制御部１７は、例えば図１５の画面において、各受付情報を表示している領域がクリック操作されると、図１６の画面を表示し、申告者のステータスを変更する操作を受け付ける。
【００９６】
担当者は、支援する申告者を決定すると、ステータスを「受付中」に更新する操作を行う。また、担当者は、支援が終わると、ステータスを「受付済」に更新する操作を行う。
【００９７】
なお、支援が予想所要時間より延びそうな場合は、延長時間を設定する操作を行う。申告内容予想部１５は、予想テーブル１１５の予想所要時間に、設定された延長時間を加算する。
【００９８】
＜＜難易度見直し＞＞
次に、図１７を参照し、表示制御部１７が、各担当者が使用する情報端末２０の画面に表示させる、各項目の難易度を更新する画面の表示例について説明する。図１７は、情報端末２０での各項目の難易度を更新する画面の表示例について説明する図である。
【００９９】
申告内容予想部１５は、申告に対する応対が終了したのち、予想所要時間と、実際の所要時間との差（乖離）が所定の閾値以上の場合に、表示制御部１７により、図１７の画面を表示させる。申告内容予想部１５は、当該申告の担当者から選択された申請項目に対応付けられた難易度を更新する。申告内容予想部１５は、例えば、担当者から選択された申請項目に対応付けられた難易度を、乖離の大きさに基づいて更新する。
【０１００】
＜変形例＞
申告内容予想部１５は、各担当者について、現在行っている申告支援が終了するまでの待ち時間と、待機中の各申告者に対する予想所要時間を算出し、各申告者に対する待ち時間の目安を受付装置３０等に表示してもよい。例えば、最後に受け付けた申告者に対しては、各担当者に対する待ち時間と、当該申告者よりも前に受け付けた待機中の各申告者に対する予想所要時間を合計した時間を、担当者の数で除算した時間を、待ち時間の目安として表示する。
【０１０１】
担当者選択部１６は、各項目の習熟度に所定の閾値を設定し、当該所定の閾値以上の習熟度を有する担当者の中から、優先担当者を選択してもよい。
【０１０２】
＜まとめ＞
市町村等において、住民向けに確定申告や住民税申告等の申告を支援するサービスを行っている。このサービスは、例えば２月中旬〜３月中旬の一ヵ月間に、全住民の約３〜５％程度の住民が利用する場合もある。また、職員が申告者とマンツーマンで１年間の所得状況や控除状況、その他情報を整理し、申告書の作成までを支援するため、支援に掛かる所要時間が長くなる。このため、このサービスを行う税申告の受け付け会場は、待ち行列が発生している場合が多い。
【０１０３】
従来、税申告の支援において、不慣れな職員が複雑な申告の支援をする場合、ベテラン職員等に比べて何倍もの時間を要する場合があり、また、途中で判らない場合にベテラン職員に交代すると、当初担当した担当者のヒアリング時間等が無駄になる。その場合、全体的に待ち時間が長くなるという問題があった。
【０１０４】
上述した実施形態によれば、申告者の前回の申告項目に基づいて、今回の申告項目を予想し、予想した申告項目と、複数の担当者の各申告項目に対する習熟度に基づいて、申告者への応対を優先する担当者を選択する。それにより、申告者に対する担当者の割り当てを全体として適正化し、申告支援等のサービスの待ち時間を短縮することが可能となる。
【０１０５】
以上、本発明の実施例について詳述したが、本発明は斯かる特定の実施形態に限定されるものではなく、特許請求の範囲に記載された本発明の要旨の範囲内において、種々の変形・変更が可能である。
【０１０６】
情報処理装置１０の各機能部は、例えば１以上のコンピュータにより構成されるクラウドコンピューティングにより実現されていてもよい。また、情報処理装置１０と情報端末２０は、一体の装置として実現してもよい。
【符号の説明】
【０１０７】
１  税申告受付管理システム
１０  情報処理装置
１１  記憶部
１１１  受付情報管理テーブル
１１２  項目管理テーブル
１１３  組み合わせ難易度管理テーブル
１１４  他課税資料テーブル
１１５  予想テーブル
１１６  担当者テーブル
１１７  担当者指定テーブル
１２  通信部
１３  受付情報管理部
１４  課税データ取得部（取得部）
１５  申告内容予想部（予想部）
１６  担当者選択部（選択部）
１７  表示制御部
２０  情報端末
３０  受付装置
【図１】
0006616229.tif 000002
【図２】
0006616229.tif 000003
【図３】
0006616229.tif 000004
【図４】
0006616229.tif 000005
【図５】
0006616229.tif 000006
【図６】
0006616229.tif 000007
【図７】
0006616229.tif 000008
【図８】
0006616229.tif 000009
【図９】
0006616229.tif 000010
【図１０】
0006616229.tif 000011
【図１１】
0006616229.tif 000012
【図１２】
0006616229.tif 000013
【図１３】
0006616229.tif 000014
【図１４】
0006616229.tif 000015
【図１５】
0006616229.tif 000016
【図１６】
0006616229.tif 000017
【図１７】
0006616229.tif 000018